【事件の表示】
　特願２０００−２７３３２１「液晶表示装置」拒絶査定不服審判事件〔平成１４年　２月　６日出願公開、特開２００２−　４０４２８〕について、次のとおり審決する。
【結　論】
　本件審判の請求は、成り立たない。
【理　由】
１　手続の経緯・本願発明
　本願は、平成１２年９月８日の出願であって、平成１４年１月１５日付け、平成２２年３月１５日付け及び同年１０月１５日付けで手続補正がなされたところ、平成２３年２月２日付けで前記平成２２年１０月１５日付け手続補正が却下されるとともに、同日付けで拒絶査定がなされ、これに対し、平成２３年５月９日に拒絶査定不服審判請求がなされると同時に手続補正がなされ、その後、当審において平成２４年２月２４日付けで拒絶理由が通知され、同年４月２５日付けで手続補正がなされたものである。。
　
　そして、本願の請求項に係る発明は、平成２４年４月２５日付け手続補正による補正後の明細書、特許請求の範囲及び図面の記載からみて、その特許請求の範囲の請求項１〜４に記載された事項によって特定されるものと認められるところ、請求項１に係る発明は次のとおりである。
　
「液晶層を一対の対向する基板で挟持した液晶表示装置であって、
　前記液晶層に電圧を印加する対向電極を前記一対の対向する基板上に有し、
　前記液晶層に電圧を印加する対向電極が重畳する領域により画素を形成し、
　前記対向電極により前記液晶層に形成される電界は、前記画素のエッジ付近においては両基板間において斜めに発生し、かつ前記基板と平行な面内で均一でなく、
　前記液晶層は、前記液晶層の液晶分子が、前記基板に平行な面内で連続的に変化している領域を有し、
　前記液晶層は電圧印加時に直線偏光板間で観察される液晶セル内の方位角方向の異常配向状態を含み、
　前記一対の基板のそれぞれの外側に、円偏光板を配置しているＥＣＢ型透過型液晶表示装置。」（以下「本願発明」という。）
　
　
２　引用刊行物の記載事項
　当審における拒絶の理由に引用された、本願の出願前に頒布された刊行物である特開２０００−５６３２６号公報（以下「引用刊行物」という。）には、図とともに下記の事項が記載されている。
　
（１）「【０００１】
【発明の属する技術分野】本発明は液晶装置に係り、特に、反射型表示と透過型表示とを切り換えて表示することのできる液晶装置の構造及びこの液晶装置を用いた電子機器に関する。」
　
（２）「【００８２】（第６実施形態）図１４は本発明に係る液晶装置の第６実施形態の構造を示す概略縦断面図である。この実施形態は基本的に単純マトリクス型の液晶表示装置に関するものである…。
【００８３】この実施形態では、２枚の透明基板１４０１，１４０２の間に液晶層１４０３が枠状のシール材１４０４によって封止された液晶パネルが形成されている。液晶層１４０３は、誘電異方性が負のネマチック液晶で構成されている。上側の透明基板１４０１の内面上には、カラーフィルタ層１４０９、保護膜１４１０、複数のストライプ状の透明電極１４１１が形成されていて、透明電極１４１１の表面上には液晶を垂直に配向させる配向膜１４１２が形成され、所定方向にラビング処理が施されている。このラビング処理によって、液晶分子はラビング方向に約８５度のプレティルト角を有している。
【００８４】一方、下側の透明基板１４０２の内面上には、開口部を設けた反射電極１４１４、垂直配向膜１４１３が形成されている。なお、この垂直配向膜１４１３にはラビング処理を施さない。
【００８５】上側の透明基板１４０１の外面上に偏光板１４０５が配置され、偏光板１４０５と透明基板１４０１との間に位相差板（１／４波長板）１４０６、散乱板１４１７が配置されている。また、液晶パネルの下側には、透明基板１４０２の背後に位相差板（１／４波長板）１４０８が配置され、この位相差板（１／４波長板）１４０８の背後に偏光板１４０７が配置されている。そして、偏光板１４０７の後方には、白色光を発する蛍光管１４１６と、この蛍光管１４１６に沿った入射端面を備えた導光板１４１５とを有するバックライトが配置されている。…
【００８６】上記偏光板１４０５と偏光板１４０７の透過軸Ｐ１，Ｐ２は図１７に示すように同方向に設定されており、これら偏光板の透過軸Ｐ１，Ｐ２に対して、位相差板（１／４波長板）１４０６，１４０８の遅相軸Ｃ１，Ｃ２の方向はθ＝４５度時計方向に回転した方向に設定されている。…
【００８７】反射型表示について説明する。外光は図１４における偏光板１４０５、位相差板１４０６をそれぞれ透過し、液晶層１４０３を通過後、反射電極１４１４によって反射され、再び偏光板１４０５から出射される。このとき、液晶層１４０３への印加電圧によって明状態と暗状態、及びその中間の明るさを制御する。
【００８８】次に、透過型表示について説明する。バックライトからの光は偏光板１４０７及び位相差板１４０８によって所定の円偏光となり、反射電極１４１４の開口部より液晶層１４０３に導入され、液晶層１４０３を通過後、位相差板１４０６を透過する。このとき、液晶層１４０３への印加電圧に応じて、偏光板１４０５から透過（明状態）した状態と吸収（暗状態）した状態、及びその中間の明るさを制御することができる。
【００８９】上述したような本実施例の構成によれば、二重映りや表示のにじみのない反射型表示と透過型表示とを切り換えて表示することのできるカラー液晶装置が実現できた。」
　
　よって、これらの記載を総合すると、引用刊行物には、次の発明（以下「引用発明」という。）が記載されていると認められる。
　
「反射型表示と透過型表示とを切り換えて表示することのできる、単純マトリクス型の液晶表示装置であって、
　２枚の透明基板１４０１，１４０２の間に液晶層１４０３が枠状のシール材１４０４によって封止された液晶パネルが形成されており、液晶層１４０３は、誘電異方性が負のネマチック液晶で構成され、上側の透明基板１４０１の内面上には、カラーフィルタ層１４０９、保護膜１４１０、複数のストライプ状の透明電極１４１１が形成されており、透明電極１４１１の表面上には液晶を垂直に配向させる配向膜１４１２が形成され、所定方向にラビング処理が施されており、一方、下側の透明基板１４０２の内面上には、開口部を設けた反射電極１４１４、垂直配向膜１４１３が形成されており、
　上側の透明基板１４０１の外面上に偏光板１４０５が配置され、偏光板１４０５と透明基板１４０１との間に位相差板（１／４波長板）１４０６、散乱板１４１７が配置されており、また、液晶パネルの下側には、透明基板１４０２の背後に位相差板（１／４波長板）１４０８が配置され、この位相差板（１／４波長板）１４０８の背後に偏光板１４０７が配置されており、偏光板１４０７の後方には、白色光を発する蛍光管１４１６と、この蛍光管１４１６に沿った入射端面を備えた導光板１４１５とを有するバックライトが配置されており、上記偏光板１４０５と偏光板１４０７の透過軸Ｐ１，Ｐ２は同方向に設定されており、これら偏光板の透過軸Ｐ１，Ｐ２に対して、位相差板（１／４波長板）１４０６，１４０８の遅相軸Ｃ１，Ｃ２の方向はθ＝４５度時計方向に回転した方向に設定されており、
　反射型表示においては、外光は偏光板１４０５、位相差板１４０６をそれぞれ透過し、液晶層１４０３を通過後、反射電極１４１４によって反射され、再び偏光板１４０５から出射される、このとき、液晶層１４０３への印加電圧によって明状態と暗状態、及びその中間の明るさを制御し、
　透過型表示においては、バックライトからの光は偏光板１４０７及び位相差板１４０８によって所定の円偏光となり、反射電極１４１４の開口部より液晶層１４０３に導入され、液晶層１４０３を通過後、位相差板１４０６を透過し、このとき、液晶層１４０３への印加電圧に応じて、偏光板１４０５から透過（明状態）した状態と吸収（暗状態）した状態、及びその中間の明るさを制御する、液晶表示装置。」
　
　
３　対比
　本願発明と引用発明を対比する。
（１）引用発明は、「２枚の透明基板１４０１，１４０２の間に液晶層１４０３が枠状のシール材１４０４によって封止された液晶パネルが形成され」たものであるから、引用発明の「液晶層１４０３」及び「２枚の透明基板１４０１，１４０２」は、それぞれ、本願発明の「液晶層」及び「（液晶層を挟持する）一対の対向する基板」に相当する。
　
（２）引用発明は、「上側の透明基板１４０１の内面上には、…複数のストライプ状の透明電極１４１１が形成されており、…一方、下側の透明基板１４０２の内面上には、開口部を設けた反射電極１４１４…が形成されて」いるから、
　ア　引用発明の「『複数のストライプ状の透明電極１４１１』及び『開口部を設けた反射電極１４１４』」は、本願発明の「（液晶層に電圧を印加し、一対の対向する基板上の）対向電極」に相当し、
　イ　引用発明は、本願発明の「前記液晶層に電圧を印加する対向電極を前記一対の対向する基板上に有し」との事項を備える。
　
（３）引用発明の「液晶表示装置」は、「単純マトリクス型」のものであって、その「『複数のストライプ状の透明電極１４１１』及び『開口部を設けた反射電極１４１４』」は、その重畳する領域により画素が形成されるものであるといえるから、引用発明は、本願発明の「前記液晶層に電圧を印加する対向電極が重畳する領域により画素を形成し」との事項を備える。
　
（４）引用発明は、「上側の透明基板１４０１の外面上に偏光板１４０５が配置され、偏光板１４０５と透明基板１４０１との間に位相差板（１／４波長板）１４０６…が配置されており、また、液晶パネルの下側には、透明基板１４０２の背後に位相差板（１／４波長板）１４０８が配置され、この位相差板（１／４波長板）１４０８の背後に偏光板１４０７が配置されており、偏光板１４０７の後方には、…バックライトが配置されており、上記偏光板１４０５と偏光板１４０７の透過軸Ｐ１，Ｐ２は同方向に設定されており、これら偏光板の透過軸Ｐ１，Ｐ２に対して、位相差板（１／４波長板）１４０６，１４０８の遅相軸Ｃ１，Ｃ２の方向はθ＝４５度時計方向に回転した方向に設定されており、…透過型表示においては、バックライトからの光は偏光板１４０７及び位相差板１４０８によって所定の円偏光とな」るものであるから、
　ア　引用発明の「『（上側の透明基板１４０１の外面上に配置された）偏光板１４０５』と『（同）位相差板（１／４波長板）１４０６』」及び「『（液晶パネルの下側の、透明基板１４０２の背後に配置された）位相差板（１／４波長板）１４０８』と『（同）偏光板１４０７』」は、本願発明の「（一対の基板のそれぞれの外側に配置された）円偏光板」に相当し、
　イ　引用発明は、本願発明の「前記一対の基板のそれぞれの外側に、円偏光板を配置している」との事項を備える。
　
（５）引用発明の「液晶表示装置」は、「反射型表示と透過型表示とを切り換えて表示することのできる」ものであって、「反射型表示」及び「透過型表示」において、「液晶層１４０３への印加電圧」に応じて、「明状態」と「暗状態」及び「その中間の明るさ」を制御するものであるから、引用発明の「（反射型表示と透過型表示とを切り換えて表示することのできる）液晶表示装置」と、本願発明の「ＥＣＢ型透過型液晶表示装置」とは、「ＥＣＢ型液晶表示装置」である点で一致する。
　
　よって、本願発明と引用発明とは、
「液晶層を一対の対向する基板で挟持した液晶表示装置であって、
　前記液晶層に電圧を印加する対向電極を前記一対の対向する基板上に有し、
　前記液晶層に電圧を印加する対向電極が重畳する領域により画素を形成し、
　前記一対の基板のそれぞれの外側に、円偏光板を配置しているＥＣＢ型液晶表示装置。」
の点で一致し、以下の点で相違するものと認められる。  
 　  
　ａ　本願発明は、対向電極により液晶層に形成される電界が、画素のエッジ付近においては両基板間において斜めに発生し、かつ前記基板と平行な面内で均一でなく、また、液晶層の液晶分子が、前記基板に平行な面内で連続的に変化している領域を有するのに対し、引用発明は、対向電極により液晶層に形成される電界が、画素のエッジ付近においては両基板間において斜めに発生し、かつ前記基板と平行な面内で均一でないか否かが明らかではなく、また、液晶層の液晶分子が、前記基板に平行な面内で連続的に変化している領域を有するのか否かも明らかではない点（以下「相違点１」という。）
　ｂ　液晶層が、本願発明では、電圧印加時に直線偏光板間で観察される液晶セル内の方位角方向の異常配向状態を含むのに対し、引用発明では、そのような異常配向状態を含むのか否か明らかではない点（以下「相違点２」という。）
　ｃ　本願発明の「液晶表示装置」は、透過型のものであるのに対し、引用発明の「液晶表示装置」は、反射型表示と透過型表示とを切り換えて表示することのできるものである点（以下「相違点３」という。）
　
　
４　判断
　上記相違点につき検討する。
（１）相違点１について
　単純マトリクス型の液晶表示装置において、対向電極により液晶層に形成される電界が、画素のエッジ付近において斜めに発生することは、当技術分野では広く知られている事項であるところ（必要なら、特開２０００−１９３９８０号公報（【００３２】）、特開平６−２５８６４９号公報（【０００６】）参照。）、引用発明の「液晶表示装置」においても、対向する「透明電極１４１１」と「反射電極１４１４」により「液晶層１４０３」に形成される電界が、画素のエッジ付近において「透明基板１４０１」及び「透明基板１４０２」の間において斜めに発生することは当業者において明らかである。そして、その結果、引用発明の「液晶表示装置」においても、「液晶層１４０３」に形成される電界が、「透明基板１４０１」あるいは「透明基板１４０２」と平行な面内で均一とはならないこと、また、「液晶層１４０３」の液晶分子が、「透明基板１４０１」あるいは「透明基板１４０２」に平行な面内で連続的に変化している領域を有することも、当業者にとって明らかな事項といえる。
　したがって、上記相違点１は、実質的な相違点ではない。
（２）相違点２について
　引用発明の「液晶表示装置」は、液晶層が電圧印加時に直線偏光板間で観察される液晶セル内の方位角方向の異常配向状態を含むものであるのか否か明らかではないところ、本願明細書によれば、本願発明において、液晶層が電圧印加時に直線偏光板間で観察される液晶セル内の方位角方向の異常配向状態を含むことの技術的意義は、「偏光手段に円偏光板を使用したことによって、液晶セル内の方位角方向の異常配向状態を不可視化して、かつその領域を有効画素化することにより実効的な開口率を向上させる」点（【００１０】）、「電界が画素内で不均一な液晶セルに適用すれば、その場合でも液晶分子の方位角方向異常配向状態を不可視化して、かつその領域を有効画素化して実効的な開口率を向上することができる」点（【００９４】）にあるものと認められる。他方、引用発明の「液晶表示装置」も、「偏光板１４０５」と「位相差板（１／４波長板）１４０６」とからなる円偏光板、及び、「偏光板１４０７」と「位相差板（１／４波長板）１４０８」とからなる円偏光板を偏光手段として用いたものであり、また、上記（１）において述べたとおり、「液晶層１４０３」に形成される電界は、「透明基板１４０１」あるいは「透明基板１４０２」と平行な面内で均一とはならず、また、「液晶層１４０３」の液晶分子は、「透明基板１４０１」あるいは「透明基板１４０２」に平行な面内で連続的に変化している領域を有するものといえるものであって、引用発明の「液晶表示装置」においても、その「液晶層１４０３」が、電圧印加時に直線偏光板間で観察される液晶セル内の方位角方向の異常配向状態を含み得ることは当業者が容易に想定し得るというべきであるから、上記相違点２に係る本願発明の構成となすことは、当業者が容易になし得ることである。
（３）相違点３について
　引用発明の「液晶表示装置」は、「反射電極１４１４」に開口部を設けることにより、反射型表示と透過型表示とを切り換えて表示することのできるものであるところ、引用発明において、当該「（開口部を設けた）反射電極１４１４」を透明電極に換え、その「液晶表示装置」を透過型のものとなして、上記相違点３に係る本願発明の構成となすことは、当業者が容易になし得ることである。
　
　また、本願発明の奏する効果が、引用発明から当業者が予測困難な程の格別顕著なものということはできない。
　
　したがって、本願発明は、引用刊行物に記載された発明に基いて当業者が容易に発明をすることができたものである。
　
　
５　むすび
　以上のとおり、本願発明は、引用刊行物に記載された発明に基いて当業者が容易に発明をすることができたものであるから、特許法第２９条第２項の規定により特許を受けることができない。
　
　よって、結論のとおり審決する。